【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
呼に関する１つ以上の請求を、該呼の複数の利用者のうち１人以上の利用者に関連づけられた複数のそれぞれの番号に対して課すように働く１つ以上のアプリケーション・サーバ構成要素を備えた装置であって、
前記呼の１人以上の利用者のうち１人の利用者に使用可能な多くの番号のいずれかからの１つの番号の選択に基づいて、前記１つ以上のアプリケーション・サーバ構成要素のうち１つのアプリケーション・サーバ構成要素が前記１つ以上の請求のうち１つの請求を前記１つの番号に対して課し、
前記複数の番号が前記多くの番号からなる装置。
【請求項２】
請求項１記載の装置において、前記１人の利用者が前記呼の起呼者であり、前記呼が前記呼のヘッダを含み、前記呼の前記ヘッダが、多くの被呼側番号のうち１つの被呼側番号を含む被呼側番号フィールドを含み、前記呼の前記起呼者に使用可能な多くの数字列のうち１つの数字列が前記１つの被呼側番号の先頭に付加され、前記１つのアプリケーション・サーバ構成要素が、前記起呼者に関連づけられた多くの公開ユーザ識別のコピーを含みまたはそれと結合され、前記呼に関する前記起呼者に使用可能な前記多くの番号が、前記呼に関する前記起呼者に使用可能な多くの起呼側番号を含み、前記多くの公開ユーザ識別がそれぞれ前記多くの起呼側番号を含み、
前記呼を受信すると、前記１つのアプリケーション・サーバ構成要素が、前記１つの被呼側番号の先頭に付加された前記１つの数字列を使用して、前記多くの公開ユーザ識別のうち１つの公開ユーザ識別情報に前記１つの数字列を関連させ、前記１つの公開ユーザ識別情報に関連する前記多くの起呼側番号のうち１つの起呼側番号に対して前記１つの請求を課す装置。
【請求項３】
請求項２記載の装置において、前記ヘッダが起呼側番号フィールドを含み、前記１つのアプリケーション・サーバ構成要素が、前記起呼者に関連づけられた前記多くの公開ユーザ識別の前記コピーを格納するように働く開始レポジトリ・データ構成要素を含み、
前記呼を受信すると、前記１つのアプリケーション・サーバ構成要素が、前記１つの被呼側番号から前記１つの数字列を削除し、前記１つの数字列を使用して前記開始レポジトリ・データ構成要素から前記１つの起呼側番号を取得し、前記呼の前記ヘッダの前記起呼側番号フィールドに前記１つの起呼側番号を挿入する装置。
【請求項４】
請求項１記載の装置において、前記呼が前記呼のヘッダを含み、前記呼の前記ヘッダが、多くの被呼側番号のうち１つの被呼側番号を含む被呼側番号フィールドを含み、前記１人の利用者が被呼者であり、前記１つのアプリケーション・サーバ構成要素が、前記被呼者に関連づけられた多くの公開ユーザ識別のコピーを含みまたはそれと結合され、前記多くの公開ユーザ識別が、それぞれ前記多くの被呼側番号を含み、
前記呼を受信すると、前記１つのアプリケーション・サーバ構成要素が、前記呼の前記ヘッダの前記被呼側番号フィールドの前記１つの被呼側番号に対して前記１つの請求を課すように働き、
前記呼の前記ヘッダが、多くの起呼側番号のうち１つの起呼側番号を含む起呼側番号フィールドを含み、前記多くの公開ユーザ識別が、前記呼の前記被呼者に使用可能なそれぞれの多くの数字列に関連づけられ、前記１つのアプリケーション・サーバ構成要素が、前記被呼者に関連づけられた前記多くの公開ユーザ識別の前記コピーを格納するように働く着信レポジトリ・データ構成要素を含み、
前記呼を受信すると、前記１つのアプリケーション・サーバ構成要素が、前記１つの被呼側番号を使用して前記着信レポジトリ・データ構成要素から前記多くの数字列のうち１つの数字列を取得し、前記呼の前記ヘッダの前記起呼側番号フィールドの前記１つの起呼側番号の先頭に前記１つの数字列を付加する装置。
【請求項５】
請求項１記載の装置において、前記呼が前記呼のヘッダを含み、前記呼の前記ヘッダが、多くの被呼側番号のうち１つの被呼側番号を含む被呼側番号フィールドを含み、前記１人の利用者が前記呼の起呼者であり、前記１つのアプリケーション・サーバ構成要素が、前記起呼者に関連づけられた多くの公開ユーザ識別のコピーを含みまたはそれと結合され、前記呼の前記起呼者に使用可能な前記多くの番号が、前記呼の前記起呼者に使用可能な多くの起呼側番号を含み、前記多くの公開ユーザ識別がそれぞれ前記多くの起呼側番号を含み、
前記呼を受信すると、前記１つのアプリケーション・サーバ構成要素が前記１つの被呼側番号を使用して前記多くの起呼側番号のうち１つの起呼側番号に前記１つの被呼側番号を関連させ、前記１つの被呼側番号に関連する前記１つの起呼側番号に対して前記１つの請求を課し、
前記ヘッダが起呼側番号フィールドを含み、前記１つのアプリケーション・サーバ構成要素が、前記起呼者に関連づけられた前記多くの公開ユーザ識別のコピーを格納するように働くカスタム開始レポジトリ・データ構成要素を含みまたはそれと結合され、前記起呼者が前記カスタム開始レポジトリ・データ構成要素を使用して、前記多くの起呼側番号の１つ以上のそれぞれの起呼側番号に前記多くの被呼側番号のうち１つ以上の被呼側番号を関連させるように働き、
前記呼を受信すると、前記１つのアプリケーション・サーバ構成要素が、前記１つの被呼側番号を使用して前記カスタム開始レポジトリ・データ構成要素から前記１つの起呼側番号を取得し、前記呼の前記ヘッダの前記起呼側番号フィールドに前記１つの起呼側番号を挿入する装置。
【請求項６】
呼に関する１つ以上の請求を、前記呼の複数の利用者のうち１人以上の利用者に関連づけられた複数のそれぞれの番号に対して課すステップを含む方法。
【請求項７】
請求項６記載の方法において、前記複数のそれぞれの番号が多くの番号を含み、前記多くの番号が前記呼の前記１人以上の利用者のうち１人の利用者に関連づけられ、前記多くの番号が多くの起呼側番号を含み、１つ以上の公開ユーザ識別が、それぞれ前記多くの起呼側番号の１つ以上を含み、前記呼の前記複数の利用者のうち前記１人以上の利用者に関連づけられた前記複数のそれぞれの番号に対して、前記呼に関する前記１つ以上の請求を課す前記ステップが、
前記１人の利用者に使用可能な多くの数字列のうち１つの数字列を、前記１つ以上の公開ユーザ識別のうち１つの公開ユーザ識別情報に関連させるステップ、及び
前記１つ以上の請求のうち１つの請求を、前記１つの公開ユーザ識別情報に関連づけられた前記多くの起呼側番号のうち１つの起呼側番号に対して課すステップ
を含む方法。
【請求項８】
請求項６記載の方法において、前記複数のそれぞれの番号が多くの番号を含み、前記多くの番号が前記呼の前記１人以上の利用者のうち１人の起呼者に関連づけられ、前記多くの番号が多くの起呼側番号を含み、１つ以上の公開ユーザ識別が、それぞれ前記多くの起呼側番号の１つ以上を含み、前記呼の前記複数の利用者のうち前記１人以上の利用者に関連づけられた前記複数のそれぞれの番号に対して、前記呼に関する前記１つ以上の請求を課す前記ステップが、
前記呼の１つの被呼側番号を使用して、前記１人の起呼者に使用可能な前記１つ以上の起呼側番号のうち１つの起呼側番号を取得するステップ、
前記１つの被呼側番号に関連づけられた前記多くの起呼側番号のうち前記１つの起呼側番号に対して、前記１つ以上の請求のうち１つの請求を課すステップ、及び
前記呼の前記ヘッダの前記起呼側番号フィールドに前記１つの起呼側番号を挿入するステップ
を含む方法。
【請求項９】
請求項６記載の方法において、前記呼が前記呼のヘッダを含み、前記呼の前記ヘッダが多くの被呼側番号のうち１つの被呼側番号を含み、前記呼の前記１人以上の利用者のうち１人の起呼者に使用可能な多くの数字列のうち１つの数字列が前記１つの被呼側番号の先頭に付加され、前記ヘッダが起呼側番号フィールドを含み、前記呼の前記複数の利用者のうち前記１人以上の利用者に関連づけられた前記複数のそれぞれの番号に対して、前記呼に関する前記１つ以上の請求を課す前記ステップが、
１つ以上のアプリケーション・サーバ構成要素のうち１つのアプリケーション・サーバ構成要素によって、前記１つの被呼側番号から前記１つの数字列を削除するステップ、
前記１つの数字列を使用して、前記１人の起呼者に関連づけられた多くの起呼側番号のうち１つの起呼側番号を取得するステップ、及び
前記呼の前記ヘッダの前記起呼側番号フィールドに前記１つの起呼側番号を挿入するステップ
を含む方法。
【請求項１０】
請求項６記載の方法において、前記呼が前記呼のヘッダを含み、前記呼の前記ヘッダが、多くの被呼側番号のうち１つの被呼側番号を含む被呼側番号フィールドを含み、前記呼の前記複数の利用者のうち前記１人以上の利用者に関連づけられた前記複数のそれぞれの番号に対して、前記呼に関する前記複数の前記１つ以上の請求を課す前記ステップが、
前記呼の前記ヘッダの前記被呼側番号フィールドの前記１つの被呼側番号に対して、前記１つ以上の請求のうち１つの請求を課すステップ
を含む方法。